(57)【要約】      （修正有）【課題】発信側の通信端末の無駄な発信の操作及び無用なネットワークの負荷を削減し、個人情報の漏洩を防ぐ。【解決手段】通信端末は、通信セル内に存在することを基地局へ通知する存在通知手段と、他の通信端末から着信があった旨の履歴を受け取る受信手段とを備え、基地局は、通信端末が通信セル内に存在することを示す通知を受信する通知受信手段と、前記通知受信手段が通知を受信しない場合は、前記通信端末は通信圏外にあると判断し、前記通信圏外の通信端末へ他の通信端末から着信があった旨の履歴を記憶する履歴手段と、前記通知受信手段が通知を受信した場合は、前記通信端末は通信圏内にあると判断し、前記通信圏内の通信端末へ前記履歴手段で記憶した履歴を送信した後に、前記履歴を消去する消去手段とを備える。【選択図】図６
2011082754.tif 000002
【特許請求の範囲】
【請求項１】
通信セル内に存在することを基地局へ通知する存在通知手段と、
他の通信端末から着信があった旨の履歴を受け取る受信手段と、
を備えることを特徴とする通信端末。
【請求項２】
さらに、前記通信端末の電源の電圧値を一定の時間間隔で測定する電圧測定手段と、
前記電圧測定手段の測定する電源の電圧値が、前記電源の切断時刻の所定時間前に対応する電圧値未満となった場合は、前記通信端末の加入者番号、前記電圧値未満となった時刻及び電池の消耗によって電源切断となることを電源切断前に基地局に送信する消耗送信手段と、を備えることを特徴とする請求項１に記載の通信端末。
【請求項３】
さらに、前記通信端末の電源スイッチによって電源切断動作を開始するとき、前記通信端末の加入者番号、電源スイッチによって電源切断動作を開始した時刻及び電源スイッチによって電源切断となることを、電源切断前に基地局に送信する切断送信手段を備えることを特徴とする請求項１又は２に記載の通信端末。
【請求項４】
前記通信端末は、さらに全地球測位システムを利用した測位手段を備え、
前記消耗送信手段は、さらに、前記電圧測定手段の測定する電源の電圧値が、前記電源の切断時刻の所定時間前に対応する電圧値未満となった場合に、前記電圧値未満となった時刻における前記測位手段で測位した位置を電源切断前に基地局に送信することを特徴とする請求項２又は３に記載の通信端末。
【請求項５】
前記切断送信手段は、さらに、前記通信端末の電源が、前記通信端末の電源スイッチによって電源切断動作を開始するとき、前記電源スイッチによって電源切断動作を開始した時刻における前記測位手段で測位した位置を電源切断前に基地局に送信することを特徴とする請求項２から４のいずれかに記載の通信端末。
【請求項６】
さらに、不通の理由を送信する対象となる他の通信端末の情報を、予め基地局へ送信する理由送信手段を備えることを特徴とする請求項１から５のいずれかに記載の通信端末。
【請求項７】
さらに、前記電圧測定手段の電源の電圧値を測定する時間間隔を設定する時間間隔入力手段を備えることを特徴とする請求項２から６のいずれかに記載の通信端末。
【請求項８】
さらに、前記電源の切断時刻の所定時間前を設定する前時間入力手段を備えることを特徴とする請求項２から７のいずれかに記載の通信端末。
【請求項９】
通信端末が通信セル内に存在することを示す通知を受信する通知受信手段と、
前記通知受信手段が通知を受信しない場合は、前記通信端末は通信圏外にあると判断し、前記通信圏外の通信端末へ他の通信端末から着信があった旨の履歴を記憶する履歴手段と、
前記通知受信手段が通知を受信した場合は、前記通信端末は通信圏内にあると判断し、前記通信圏内の通信端末へ前記履歴手段で記憶した履歴を送信した後に、前記履歴を消去する消去手段と、を備えることを特徴とする基地局。
【請求項１０】
さらに、前記通信圏内の通信端末が電池の消耗によって電源切断となる場合は、前記通信圏内の通信端末の加入者番号、前記通信圏内の通信端末の電池の電圧値を測定した時刻及び前記通信圏内の通信端末の電池の消耗によって電源切断となることを前記通信圏内の通信端末から受信する消耗受信手段を備えることを特徴とする請求項９に記載の基地局。
【請求項１１】
さらに、前記通信圏内の通信端末が電源スイッチによって電源切断動作を開始するとき、前記通信圏内の通信端末の加入者番号、電源スイッチによって電源切断動作を開始した時刻及び電源スイッチによって電源切断となることを電源切断前に前記通信圏内の通信端末から受信する切断受信手段を備えることを特徴とする請求項９又は１０に記載の基地局。
【請求項１２】
前記消耗受信手段は、さらに、前記通信圏内の通信端末が電池の消耗によって電源切断となる場合は、前記電圧値を測定した時刻における位置を、電源切断前に前記通信圏内の通信端末から受信することを特徴とする請求項１０又は１１に記載の基地局。
【請求項１３】
前記切断受信手段は、さらに、前記通信圏内の通信端末が電源スイッチによって電源切断動作を開始するときは、前記電源スイッチによって電源切断動作を開始した時刻における位置を、電源切断前に前記通信圏内の通信端末から受信することを特徴とする請求項１０から１２のいずれかに記載の基地局。
【請求項１４】
さらに、不通の理由を送信する対象となる他の通信端末の情報を受信する理由受信手段を備えることを特徴とする請求項９から１３にいずれかに記載の基地局。
【請求項１５】
さらに、前記消去手段は、前記通信圏内の通信端末へ前記履歴を送信した後に、前記理由受信手段で受信した情報以外の履歴を消去することを特徴とする請求項９から１４のいずれかに記載の基地局。
【請求項１６】
請求項１から８のいずれかに記載の通信端末と、請求項９から１５のいずれかに記載の基地局とを備える通信端末の通知システム。
【請求項１７】
通信端末が通信セル内に存在することを基地局へ通知する存在通知手順と、
他の通信端末から着信があった旨の履歴を受け取る受信手順と、
を順に有することを特徴とする通信端末の通知方法。
【請求項１８】
さらに、前記通信端末の電源の電圧値を一定の時間間隔で測定する電圧測定手順と、
前記電圧測定手順で測定する電源の電圧値が、前記電源の切断時刻の所定時間前に対応する電圧値未満となった場合は、前記通信端末の加入者番号、前記電圧値未満となった時刻及び電池の消耗によって電源切断となることを電源切断前に基地局に送信する消耗送信手順と、を順に、前記存在通知手順の前に有することを特徴とする請求項１７に記載の通信端末の通知方法。
【請求項１９】
さらに、前記通信端末の電源スイッチによって電源切断動作を開始するとき、前記通信端末の加入者番号、電源スイッチによって電源切断動作を開始した時刻及び電源スイッチによって電源切断となることを、電源切断前に基地局に送信する切断送信手順を、前記存在通知手順の前に有することを特徴とする請求項１７又は１８に記載の通信端末の通知方法。
【請求項２０】
前記通信端末は、さらに全地球測位システムを利用した測位手順を、前記存在通知手順の前に有し、
前記消耗送信手順は、さらに、前記電圧測定手順で測定する電源の電圧値が、前記電源の切断時刻の所定時間前に対応する電圧値未満となった場合に、前記電圧値未満となった時刻における前記測位手順で測位した位置を電源切断前に基地局に送信することを特徴とする請求項１８又は１９に記載の通信端末の通知方法。
【請求項２１】
前記切断送信手順は、さらに、前記通信端末の電源が、前記通信端末の電源スイッチによって電源切断動作を開始するとき、前記電源スイッチによって電源切断動作を開始した時刻における前記測位手順で測位した位置を電源切断前に基地局に送信することを特徴とする請求項１８から２０のいずれかに記載の通信端末の通知方法。
【請求項２２】
さらに、不通の理由を送信する対象となる他の通信端末の情報を、予め基地局へ送信する理由送信手順を、前記存在通知手順の前に有することを特徴とする請求項１７から２１のいずれかに記載の通信端末の通知方法。
【請求項２３】
さらに、前記電圧測定手順で電源の電圧値を測定する時間間隔を設定する時間間隔入力手順を、前記消耗送信手順の前又は前記切断送信手順の前に有することを特徴とする請求項１８から２２のいずれかに記載の通信端末の通知方法。
【請求項２４】
さらに、前記電源の切断時刻の所定時間前を設定する前時間入力手順を、前記消耗送信手順の前又は前記切断送信手順の前に有することを特徴とする請求項１８から２３のいずれかに記載の通信端末の通知方法。
【請求項２５】
通信端末が通信セル内に存在することを示す通知を受信する通知受信手順と、
前記通知受信手順で通知を受信しない場合は、前記通信端末は通信圏外にあると判断し、前記通信圏外の通信端末へ他の通信端末から着信があった旨の履歴を記憶する履歴手順と、
前記通知受信手順で通知を受信した場合は、前記通信端末は通信圏内にあると判断し、前記通信圏内の通信端末へ前記履歴手順で記憶した履歴を送信した後に、前記履歴を消去する消去手順と、を順に有する基地局の通知方法。
【請求項２６】
さらに、前記通信圏内の通信端末が電池の消耗によって電源切断となる場合は、前記通信圏内の通信端末の加入者番号、前記通信圏内の通信端末の電池の電圧値を測定した時刻及び前記通信圏内の通信端末の電池の消耗によって電源切断となることを前記通信圏内の通信端末から受信する消耗受信手順を、前記通知受信手順の前に有することを特徴とする請求項２５に記載の基地局の通知方法。
【請求項２７】
さらに、前記通信圏内の通信端末が電源スイッチによって電源切断動作を開始するとき、前記通信圏内の通信端末の加入者番号、電源スイッチによって電源切断動作を開始した時刻及び電源スイッチによって電源切断となることを電源切断前に前記通信圏内の通信端末から受信する切断受信手順を、前記通知受信手順の前に有することを特徴とする請求項２５又は２６に記載の基地局の通知方法。
【請求項２８】
前記消耗受信手順は、さらに、前記通信圏内の通信端末が電池の消耗によって電源切断となる場合は、前記電圧値を測定した時刻における位置を、電源切断前に前記通信圏内の通信端末から受信することを特徴とする請求項２６又は２７に記載の基地局の通知方法。
【請求項２９】
前記切断受信手順は、さらに、前記通信圏内の通信端末が電源スイッチによって電源切断動作を開始するときは、前記電源スイッチによって電源切断動作を開始した時刻における位置を、電源切断前に前記通信圏内の通信端末から受信することを特徴とする請求項２６から２８のいずれかに記載の基地局の通知方法。
【請求項３０】
さらに、不通の理由を送信する対象となる他の通信端末の情報を受信する理由受信手順を、前記通知受信手順の前に有することを特徴とする請求項２５から２９にいずれかに記載の基地局の通知方法。
【請求項３１】
さらに、前記消去手順は、前記通信圏内の通信端末へ前記履歴を送信した後に、前記理由受信手順で受信した情報以外の履歴を消去することを特徴とする請求項２５から３０のいずれかに記載の基地局の通知方法。
【請求項３２】
通信端末で、通信セル内に存在することを基地局へ通知する存在通知手順と、
前記基地局で、前記通信端末が前記通信セル内に存在することを示す通知を受信する通知受信手順と、
前記基地局で、前記通知受信手順で通知を受信しない場合は、前記通信端末は通信圏外にあると判断し、前記通信圏外の通信端末へ他の通信端末から着信があった旨の履歴を記憶する履歴手順と、
前記基地局で、前記通知受信手順で通知を受信した場合は、前記通信端末は通信圏内にあると判断し、前記通信圏内の通信端末へ前記履歴手順で記憶した履歴を送信した後に、前記履歴を消去する消去手順と、
前記通信端末で、他の通信端末から着信があった旨の履歴を受け取る受信手順と、
を順に有することを特徴とする通信端末の通知システムの通知方法。
【請求項３３】
さらに、前記通信端末で、前記通信端末の電源の電圧値を一定の時間間隔で測定する電圧測定手順と、
前記通信端末で、前記電圧測定手順で測定する電源の電圧値が、前記電源の切断時刻の所定時間前に対応する電圧値未満となった場合は、前記通信端末の加入者番号、前記電圧値未満となった時刻及び電池の消耗によって電源切断となることを電源切断前に基地局に送信する消耗送信手順と、
前記基地局で、前記通信圏内の通信端末が電池の消耗によって電源切断となる場合は、前記通信圏内の通信端末の加入者番号、前記通信圏内の通信端末の電池の電圧値を測定した時刻及び前記通信圏内の通信端末の電池の消耗によって電源切断となることを前記通信圏内の通信端末から受信する消耗受信手順と、
を順に、前記存在通知手順の前に有することを特徴とする請求項３２に記載の通信端末の通知システムの通知方法。
【請求項３４】
さらに、前記通信端末で、前記通信端末の電源スイッチによって電源切断動作を開始するとき、前記通信端末の加入者番号、電源スイッチによって電源切断動作を開始した時刻及び電源スイッチによって電源切断となることを、電源切断前に基地局に送信する切断送信手順と、
前記基地局で、前記通信圏内の通信端末が電源スイッチによって電源切断動作を開始するとき、前記通信圏内の通信端末の加入者番号、電源スイッチによって電源切断動作を開始した時刻及び電源スイッチによって電源切断となることを電源切断前に前記通信圏内の通信端末から受信する切断受信手順と、を前記存在通知手順の前に有することを特徴とする請求項３２又は３３に記載の通信端末の通知システムの通知方法。
【請求項３５】
前記通信端末で、さらに全地球測位システムを利用した測位手順を、前記存在通知手順の前に有し、
前記通信端末で、前記消耗送信手順は、さらに、前記電圧測定手順で測定する電源の電圧値が、前記電源の切断時刻の所定時間前に対応する電圧値未満となった場合に、前記電圧値未満となった時刻における前記測位手順で測位した位置を電源切断前に基地局に送信し、
前記基地局で、前記消耗受信手順は、さらに、前記通信圏内の通信端末が電池の消耗によって電源切断となる場合は、前記電圧値を測定した時刻における位置を、電源切断前に前記通信圏内の通信端末から受信することを特徴とする請求項３３又は３４に記載の通信端末の通知システムの通知方法。
【請求項３６】
前記通信端末で、前記切断送信手順は、さらに、前記通信端末の電源が、前記通信端末の電源スイッチによって電源切断動作を開始するとき、前記電源スイッチによって電源切断動作を開始した時刻における前記測位手順で測位した位置を電源切断前に基地局に送信し、
前記基地局で、前記切断受信手順は、さらに、前記通信圏内の通信端末が電源スイッチによって電源切断動作を開始するときは、前記電源スイッチによって電源切断動作を開始した時刻における位置を、電源切断前に前記通信圏内の通信端末から受信することを特徴とする請求項３３から３５のいずれかに記載の通信端末の通知システムの通知方法。
【請求項３７】
前記通信端末で、さらに、不通の理由を送信する対象となる他の通信端末の情報を、予め基地局へ送信する理由送信手順と、
前記基地局で、さらに、不通の理由を送信する対象となる他の通信端末の情報を受信する理由受信手順と、を前記存在通知手順の前に有する
ことを特徴とする請求項３２から３６のいずれかに記載の通信端末の通知システムの通知方法。
【請求項３８】
コンピュータに、
通信端末が通信セル内に存在することを基地局へ通知する存在通知ステップと、
他の通信端末から着信があった旨の履歴を受け取る受信ステップと、
を順に実行させる通信端末の通知プログラム。
【請求項３９】
さらに、コンピュータに、
前記通信端末の電源の電圧値を一定の時間間隔で測定する電圧測定ステップと、
前記電圧測定ステップで測定する電源の電圧値が、前記電源の切断時刻の所定時間前に対応する電圧値未満となった場合は、前記通信端末の加入者番号、前記電圧値未満となった時刻及び電池の消耗によって電源切断となることを電源切断前に基地局に送信する消耗送信ステップと、
を順に前記存在通知ステップの前に有し、実行させることを特徴とする請求項３８に記載の通信端末の通知プログラム。
【請求項４０】
さらに、コンピュータに、
前記通信端末の電源スイッチによって電源切断動作を開始するとき、前記通信端末の加入者番号、電源スイッチによって電源切断動作を開始した時刻及び電源スイッチによって電源切断となることを、電源切断前に基地局に送信する切断送信ステップを、前記存在通知ステップの前に有し、実行させることを特徴とする請求項３８又は３９に記載の通信端末の通知プログラム。
【請求項４１】
前記通信端末は、さらに全地球測位システムを利用した測位ステップを、前記存在通知ステップの前に有し、
前記消耗送信ステップは、さらに、前記電圧測定ステップで測定する電源の電圧値が、前記電源の切断時刻の所定時間前に対応する電圧値未満となった場合に、前記電圧値未満となった時刻における前記測位ステップで測位した位置を電源切断前に基地局に送信することを特徴とする請求項３９又は４０に記載のコンピュータに実行させる通信端末の通知プログラム。
【請求項４２】
前記切断送信ステップは、さらに、前記通信端末の電源が、前記通信端末の電源スイッチによって電源切断動作を開始するとき、前記電源スイッチによって電源切断動作を開始した時刻における前記測位ステップで測位した位置を電源切断前に基地局に送信することを特徴とする請求項３９から４１のいずれかに記載のコンピュータに実行させる通信端末の通知プログラム。
【請求項４３】
さらに、コンピュータに、不通の理由を送信する対象となる他の通信端末の情報を、予め基地局へ送信する理由送信ステップを、前記存在通知ステップの前に有し、実行させることを特徴とする請求項３８から４２のいずれかに記載の通信端末の通知プログラム。
【請求項４４】
さらに、コンピュータに、前記電圧測定ステップで電源の電圧値を測定する時間間隔を設定する時間間隔入力ステップを、前記消耗送信ステップの前又は前記切断送信ステップの前に有し、実行させることを特徴とする請求項３９から４３のいずれかに記載の通信端末の通知プログラム。
【請求項４５】
さらに、コンピュータに、前記電源の切断時刻の所定時間前を設定する前時間入力ステップを、前記消耗送信ステップの前又は前記切断送信ステップの前に有し、実行させることを特徴とする請求項３９から４４のいずれかに記載の通信端末の通知プログラム。
【請求項４６】
コンピュータに、
通信端末が通信セル内に存在することを示す通知を受信する通知受信ステップと、
前記通知受信ステップで通知を受信しない場合は、前記通信端末は通信圏外にあると判断し、前記通信圏外の通信端末へ他の通信端末から着信があった旨の履歴を記憶する履歴ステップと、
前記通知受信ステップで通知を受信した場合は、前記通信端末は通信圏内にあると判断し、前記通信圏内の通信端末へ前記履歴ステップで記憶した履歴を送信した後に、前記履歴を消去する消去ステップと、を順に有し、実行させる基地局の通知プログラム。
【請求項４７】
さらに、コンピュータに、前記通信圏内の通信端末が電池の消耗によって電源切断となる場合は、前記通信圏内の通信端末の加入者番号、前記通信圏内の通信端末の電池の電圧値を測定した時刻及び前記通信圏内の通信端末の電池の消耗によって電源切断となることを前記通信圏内の通信端末から受信する消耗受信ステップを、前記通知受信ステップの前に有し、実行させることを特徴とする請求項４６に記載の基地局の通知プログラム。
【請求項４８】
さらに、コンピュータに、前記通信圏内の通信端末が電源スイッチによって電源切断動作を開始するとき、前記通信圏内の通信端末の加入者番号、電源スイッチによって電源切断動作を開始した時刻及び電源スイッチによって電源切断となることを電源切断前に前記通信圏内の通信端末から受信する切断受信ステップを、前記通知受信ステップの前に有し、実行させることを特徴とする請求項４６又は４７に記載の基地局の通知プログラム。
【請求項４９】
前記消耗受信ステップは、さらに、前記通信圏内の通信端末が電池の消耗によって電源切断となる場合は、前記電圧値を測定した時刻における位置を、電源切断前に前記通信圏内の通信端末から受信することを特徴とする請求項４７又は４８に記載のコンピュータに実行させる基地局の通知プログラム。
【請求項５０】
前記切断受信ステップは、さらに、前記通信圏内の通信端末が電源スイッチによって電源切断動作を開始するときは、前記電源スイッチによって電源切断動作を開始した時刻における位置を、電源切断前に前記通信圏内の通信端末から受信することを特徴とする請求項４７から４９のいずれかに記載のコンピュータに実行させる基地局の通知プログラム。
【請求項５１】
さらに、コンピュータに、不通の理由を送信する対象となる他の通信端末の情報を受信する理由受信ステップを、前記通知受信ステップの前に有し、実行させることを特徴とする請求項４６から５０にいずれかに記載の基地局の通知プログラム。
【請求項５２】
さらに、前記消去ステップは、前記通信圏内の通信端末へ前記履歴を送信した後に、前記理由受信ステップで受信した情報以外の履歴を消去することを特徴とする請求項４６から５１のいずれかに記載のコンピュータに実行させる基地局の通知プログラム。
【請求項５３】
コンピュータに、
前記通信端末で、通信セル内に存在することを基地局へ通知する存在通知ステップと、
基地局で、通信端末が通信セル内に存在することを示す通知を受信する通知受信ステップと、
前記基地局で、前記通知受信ステップで通知を受信しない場合は、前記通信端末は通信圏外にあると判断し、前記通信圏外の通信端末へ他の通信端末から着信があった旨の履歴を記憶する履歴ステップと、
前記基地局で、前記通知受信ステップで通知を受信した場合は、前記通信端末は通信圏内にあると判断し、前記通信圏内の通信端末へ前記履歴ステップで記憶した履歴を送信した後に、前記履歴を消去する消去ステップと、
前記通信端末で、他の通信端末から着信があった旨の履歴を受け取る受信ステップと、
を順に実行させることを特徴とする通信端末の通知システムの通知プログラム。
【請求項５４】
コンピュータに、
さらに、前記通信端末で、前記通信端末の電源の電圧値を一定の時間間隔で測定する電圧測定ステップと、
前記通信端末で、前記電圧測定ステップで測定する電源の電圧値が、前記電源の切断時刻の所定時間前に対応する電圧値未満となった場合は、前記通信端末の加入者番号、前記電圧値未満となった時刻及び電池の消耗によって電源切断となることを電源切断前に基地局に送信する消耗送信ステップと、
前記基地局で、前記通信圏内の通信端末が電池の消耗によって電源切断となる場合は、前記通信圏内の通信端末の加入者番号、前記通信圏内の通信端末の電池の電圧値を測定した時刻及び前記通信圏内の通信端末の電池の消耗によって電源切断となることを前記通信圏内の通信端末から受信する消耗受信ステップと、
を順に、前記存在通知ステップの前に有し、実行させることを特徴とする請求項５３に記載の通信端末の通知システムの通知プログラム。
【請求項５５】
コンピュータに、
前記通信端末で、さらに、前記通信端末の電源スイッチによって電源切断動作を開始するとき、前記通信端末の加入者番号、電源スイッチによって電源切断動作を開始した時刻及び電源スイッチによって電源切断となることを、電源切断前に基地局に送信する切断送信ステップと、
前記基地局で、前記通信圏内の通信端末が電源スイッチによって電源切断動作を開始するとき、前記通信圏内の通信端末の加入者番号、電源スイッチによって電源切断動作を開始した時刻及び電源スイッチによって電源切断となることを電源切断前に前記通信圏内の通信端末から受信する切断受信ステップと、を前記存在通知ステップの前に有し、実行させることを特徴とする請求項５３又は５４に記載の通信端末の通知システムの通知プログラム。
【請求項５６】
前記通信端末で、さらに全地球測位システムを利用した測位ステップを、前記存在通知ステップの前に有し、
前記通信端末で、前記消耗送信ステップは、さらに、前記電圧測定ステップで測定する電源の電圧値が、前記電源の切断時刻の所定時間前に対応する電圧値未満となった場合に、前記電圧値未満となった時刻における前記測位ステップで測位した位置を電源切断前に基地局に送信し、
前記基地局で、前記消耗受信ステップは、さらに、前記通信圏内の通信端末が電池の消耗によって電源切断となる場合は、前記電圧値を測定した時刻における位置を、電源切断前に前記通信圏内の通信端末から受信することを特徴とする請求項５４又は５５に記載のコンピュータに実行させる通信端末の通知システムの通知プログラム。
【請求項５７】
前記通信端末で、前記切断送信ステップは、さらに、前記通信端末の電源が、前記通信端末の電源スイッチによって電源切断動作を開始するとき、前記電源スイッチによって電源切断動作を開始した時刻における前記測位ステップで測位した位置を電源切断前に基地局に送信し、
前記基地局で、前記切断受信ステップは、さらに、前記通信圏内の通信端末が電源スイッチによって電源切断動作を開始するときは、前記電源スイッチによって電源切断動作を開始した時刻における位置を、電源切断前に前記通信圏内の通信端末から受信することを特徴とする請求項５４から５６のいずれかに記載のコンピュータに実行させる通信端末の通知システムの通知プログラム。
【請求項５８】
前記通信端末で、さらに、不通の理由を送信する対象となる他の通信端末の情報を、予め基地局へ送信する理由送信ステップと、
前記基地局で、さらに、不通の理由を送信する対象となる他の通信端末の情報を受信する理由受信ステップと、を前記存在通知ステップの前に有し、コンピュータに実行させることを特徴とする請求項５３から５７のいずれかに記載の通信端末の通知システムの通知プログラム。
【発明の詳細な説明】
【技術分野】
【０００１】
本発明は、通信端末、基地局、通信端末の通知システム、通信端末の通知方法、基地局の通知方法、通信端末の通知システムの通知方法、通信端末の通知プログラム、基地局の通知プログラム、通信端末の通知システムの通知プログラムに関する。
【背景技術】
【０００２】
通信端末システムは、通信端末が使用可能な地域をいくつかの通信セルという地域に分割し、これらが組み合わされて、通信端末システムのサービスエリアが形成されている。ここで、通信端末に基地局の電波が届かない場合は圏外となり、逆に、通信端末に基地局の電波が届く場合は、圏内となる。通信端末システムでは、着信側の通信端末が圏外にいる場合、或いは着信側の通信端末の電源が切断されている場合は、発信者にその旨を伝えるメッセージを音声で通知していた。
【０００３】
関連する通信端末システムにおいて、圏外、或いは電源が切断されている通信端末に対して呼び出しが発生したとき、呼び出しに応答することはできず、呼び出しを行った発信側の通信端末が再度の呼び出し動作を行う必要があった。さらに、再度呼び出ししても、通信端末が圏外、或いは電源が切断されている間は、発信側の通信端末は呼び出しを繰り返す必要があり、発信側の負担が生じていた。そこで、着信側の都合により呼び出しが接続されなかった場合に、発信側に着信側の状況を伝え、着信側にも、圏内に入った、或いは電源を投入した場合に、発信側から着信があったことを伝える発明が開示されている（例えば、特許文献１から６参照。）。
【先行技術文献】
【特許文献】
【０００４】
【特許文献１】特開平８−０２３５７７号公報
【特許文献２】特開２０００−３５８２７２号公報
【特許文献３】特開２０００−１９７１１９号公報
【特許文献４】特開２００２−３００６４６号公報
【特許文献５】特開２００５−０７９６３６号公報
【特許文献６】特開２００７−１２９３５９号公報
【発明の概要】
【発明が解決しようとする課題】
【０００５】
また、上述した特許文献５に記載の通信端末においては、着信側の通信端末の電源がオフの間の履歴を着信側の通信端末に通知することができ、さらに、着信側の通信端末の電源のオン、オフの管理はされるものの、電源のオン、オフの状況を通知することができない。したがって、発信側の通信端末の無駄な発信の操作、及び無用なネットワークの負荷を生じてしまうという問題点があった。
【０００６】
そして、上述した特許文献６に記載の通信端末においては、通話禁止エリアにいる場合、ゲートを通過することで自動的に通信端末の電源をオフとし、その間、発信側の通信端末には、着信側の通信端末は通話禁止エリアに位置しているため電源がオフされている旨通知される。しかし、通話禁止エリアから通話可能エリアへ移動する際には発信側の通信端末へ通知しない。したがって、発信側の通信端末の無駄な発信の操作、及び無用なネットワークの負荷を生じてしまうという問題点があった。
【０００７】
上述した特許文献１、２、３及び４に記載の通信端末においては、着信側の通信端末が、発信側の通信端末の呼出に応答できなかった場合、着信側の通信端末が応答可能状態となった時、その旨を発信側の通信端末へ通知するが、着信側の通信端末の状況について、不特定多数の通信端末へ無条件に通知されてしまうため、個人情報の漏洩の恐れがあるという問題点があった。
【０００８】
そこで、本発明の目的は、上述した課題である、発信側の通信端末の無駄な発信の操作及び無用なネットワークの負荷を削減し、個人情報の漏洩を防ぐ、通信端末、基地局、通信端末の通知システム、通信端末の通知方法、通信端末の通知システムの通知方法、通信端末の通知プログラム、通信端末の通知システムの通知プログラムを提供することを目的とする。
【課題を解決するための手段】
【０００９】
上記目的を達成するために、本発明の通信端末は、通信セル内に存在することを基地局へ通知する存在通知手段と、他の通信端末から着信があった旨の履歴を受け取る受信手段とを備える。
上記目的を達成するために、本発明の基地局は、通信端末が通信セル内に存在することを示す通知を受信する通知受信手段と、前記通知受信手段が通知を受信しない場合は、前記通信端末は通信圏外にあると判断し、前記通信圏外の通信端末へ他の通信端末から着信があった旨の履歴を記憶する履歴手段と、前記通知受信手段が通知を受信した場合は、前記通信端末は通信圏内にあると判断し、前記通信圏内の通信端末へ前記履歴手段で記憶した履歴を送信した後に、前記履歴を消去する消去手段とを備える。
【００１０】
上記目的を達成するために、本発明の通信端末の通知システムは、前記通信端末及び前記基地局を備える。
【００１１】
上記目的を達成するために、本発明の通信端末の通知方法は、通信端末が通信セル内に存在することを基地局へ通知する存在通知手順と、他の通信端末から着信があった旨の履歴を受け取る受信手順とを順に有する。
【００１２】
上記目的を達成するために、本発明の基地局の通知方法は、通信端末が通信セル内に存在することを示す通知を受信する通知受信手順と、前記通知受信手順で通知を受信しない場合は、前記通信端末は通信圏外にあると判断し、前記通信圏外の通信端末へ他の通信端末から着信があった旨の履歴を記憶する履歴手順と、前記通知受信手順で通知を受信した場合は、前記通信端末は通信圏内にあると判断し、前記通信圏内の通信端末へ前記履歴手順で記憶した履歴を送信した後に、前記履歴を消去する消去手順とを順に有する。
【００１３】
上記目的を達成するために、本発明の通信端末の通知システムの通知方法は、通信端末で、通信セル内に存在することを基地局へ通知する存在通知手順と、前記基地局で、前記通信端末が前記通信セル内に存在することを示す通知を受信する通知受信手順と、前記基地局で、前記通知受信手順で通知を受信しない場合は、前記通信端末は通信圏外にあると判断し、前記通信圏外の通信端末へ他の通信端末から着信があった旨の履歴を記憶する履歴手順と、前記基地局で、前記通知受信手順で通知を受信した場合は、前記通信端末は通信圏内にあると判断し、前記通信圏内の通信端末へ前記履歴手順で記憶した履歴を送信した後に、前記履歴を消去する消去手順と、前記通信端末で、他の通信端末から着信があった旨の履歴を受け取る受信手順とを順に有する。
【００１４】
上記目的を達成するために、本発明の通信端末の通知プログラムは、コンピュータに、通信端末が通信セル内に存在することを基地局へ通知する存在通知ステップと、他の通信端末から着信があった旨の履歴を受け取る受信ステップとを順に実行させる。
【００１５】
上記目的を達成するために、本発明の基地局の通知プログラムは、コンピュータに、通信端末が通信セル内に存在することを示す通知を受信する通知受信ステップと、前記通知受信ステップで通知を受信しない場合は、前記通信端末は通信圏外にあると判断し、前記通信圏外の通信端末へ他の通信端末から着信があった旨の履歴を記憶する履歴ステップと、前記通知受信ステップで通知を受信した場合は、前記通信端末は通信圏内にあると判断し、前記通信圏内の通信端末へ前記履歴ステップで記憶した履歴を送信した後に、前記履歴を消去する消去ステップとを順に実行させる。
【００１６】
上記目的を達成するために、本発明の通信端末の通知システムの通知プログラムは、コンピュータに、前記通信端末で、通信セル内に存在することを基地局へ通知する存在通知ステップと、基地局で、通信端末が通信セル内に存在することを示す通知を受信する通知受信ステップと、前記基地局で、前記通知受信ステップで通知を受信しない場合は、前記通信端末は通信圏外にあると判断し、前記通信圏外の通信端末へ他の通信端末から着信があった旨の履歴を記憶する履歴ステップと、前記基地局で、前記通知受信ステップで通知を受信した場合は、前記通信端末は通信圏内にあると判断し、前記通信圏内の通信端末へ前記履歴ステップで記憶した履歴を送信した後に、前記履歴を消去する消去ステップと、前記通信端末で、他の通信端末から着信があった旨の履歴を受け取る受信ステップとを順に実行させる。
【発明の効果】
【００１７】
本発明によれば、発信側の通信端末の無駄な発信の操作及び無用なネットワークの負荷を削減し、個人情報の漏洩を防ぐことができる。
【図面の簡単な説明】
【００１８】
【図１】本発明の通信端末を示すブロック図である。
【図２】本発明の通信端末の実施形態を示すブロック図である。
【図３】本発明の基地局を示すブロック図である。
【図４】本発明の基地局の実施形態を示すブロック図である。
【図５】本発明の通信端末の通知システムを示すブロック図である。
【図６】本発明の通信端末の通知システムの実施形態を示すブロック図である。
【図７】本発明の通信端末の通知方法を示すフローチャートである。
【図８】本発明の通信端末の通知方法の実施形態を示すフローチャートである。
【図９】本発明の基地局の通知方法を示すフローチャートである。
【図１０】本発明の基地局の通知方法の実施形態を示すフローチャートである。
【図１１】本発明の通信端末の通知システムの通知方法を示すフローチャートである。
【図１２】本発明の通信端末の通知システムの通知方法の実施形態を示すフローチャートである。
【図１３】本発明の通信端末の通知プログラムを示すフローチャートである。
【図１４】本発明の通信端末の通知プログラムの実施形態を示すフローチャートである。
【図１５】本発明の基地局の通知プログラムを示すフローチャートである。
【図１６】本発明の基地局の通知プログラムの実施形態を示すフローチャートである。
【図１７】本発明の通信端末の通知システムの通知プログラムを示すフローチャートである。
【図１８】本発明の通信端末の通知システムの通知プログラムの実施形態を示すフローチャートである。
【発明を実施するための形態】
【００１９】
添付の図面を参照して本発明の実施形態を説明する。以下に説明する実施形態は本発明の実施形態であり、本発明は、以下の実施形態に制限されるものではない。なお、本明細書及び図面において符号が同じ構成要素は、相互に同一のものを示すものとする。
【００２０】
まず、図１を参照して、本発明に係る通信端末の基本構成を説明する。図１は、本発明に係る通信端末の動作を説明するブロック図である。図１において、本発明の通信端末は、通信セル内に存在することを基地局へ通知する存在通知手段１０−１と、他の通信端末から着信があった旨の履歴を受け取る受信手段１１−１とを備える。具体的には、まず、存在通知手段１０−１が、通信端末が通信セル内に存在することを基地局へ通知する。基地局と通信端末との間では、常時、通信セル内に存在している、すなわち通信圏内に通信端末が存在するか否かを検知している。次に、受信手段１１−１が、基地局から、他の通信端末から着信があった旨の履歴を受け取る。通信端末が通信セル内に存在していない、すなわち通信圏外であった間に着信した、他の通信端末からの着信履歴を受け取る。着信履歴の内容は、例えば、他の通信端末の加入者番号、着信日付又は着信時刻である。
【００２１】
次に、図２を参照して、本発明に係る通信端末の実施形態を説明する。図２は、本発明に係る通信端末を説明するブロック図である。なお、図１において説明した要素については説明を省略する。図２において、本発明の通信端末は、通信端末制御手段３０−１、存在通知手段１０−２、受信手段１１−２、時間間隔入力手段１２−１、前時間入力手段１３−１、電圧測定手段１４−１、消耗送信手段１６−１、切断送信手段１７−１、測位手段１５−１及び理由送信手段１８−１を備える。
【００２２】
通信端末制御手段３０−１は、通信端末に備えられた各手段を仲介し、それぞれの機能を管理する。電圧測定手段１４−１は、通信端末の電源の電圧値を一定の時間間隔で測定する。そして、消耗送信手段１６−１は、電圧測定手段１４−１の測定する電源の電圧値が、電源の切断時刻の所定時間前に対応する電圧値未満となった場合は、通信端末の加入者番号、電圧値未満となった時刻及び電池の消耗によって電源切断となることを電源切断前に基地局に送信する。通信端末が電池の消耗のために、電源オフの状態であることを検知することができ、他の通信端末からの通信端末の無駄な発信の操作、及び無用なネットワークの負荷を削減することができる。同様に、切断送信手段１７−１は、通信端末の電源スイッチによって電源切断動作を開始するとき、通信端末の加入者番号、電源スイッチによって電源切断動作を開始した時刻及び電源スイッチによって電源切断となることを、電源切断前に基地局に送信する。通信端末の電源スイッチがオフの状態であることを検知することができ、他の通信端末からの通信端末の無駄な発信の操作、及び無用なネットワークの負荷を削減することができる。ここで、時間間隔入力手段１２−１は、電圧測定手段１４−１の電源の電圧値を測定する時間間隔を設定する。通信端末の利用環境に応じて、電池の消耗を詳細に検知することができ、電池の消耗による電源オフの可能性を、余裕を持って他の通信端末へ通知することができる。さらに、前時間入力手段１３−１は、電源の切断時刻の所定時間前を設定する。電池の消耗による電源オフの可能性を、余裕を持って他の通信端末へ通知することができる。
【００２３】
そして、測位手段１５−１は、全地球測位システムを利用して通信端末の位置を具体的に測位することができる。測位手段１５−１を利用することで、電圧測定手段１４−１の測定する電源の電圧値が、電源の切断時刻の所定時間前に対応する電圧値未満となった場合に、電圧値未満となった時刻における測位手段１５−１で測位した位置を電源切断前に基地局に送信することで、通信端末が通信不可となった具体的な位置を知ることができ、通信端末が現在置かれている状況を予測することができる。さらに、理由送信手段１８−１は、不通の理由を送信する対象となる他の通信端末の情報を、予め基地局へ送信する。不通の理由を送信する対象となる他の通信端末を限定することで、個人情報の漏洩を防ぐことができる。
【００２４】
次に、図３を参照して、本発明に係る基地局の基本構成を説明する。図３は、本発明に係る基地局の動作を説明するブロック図である。図３において、本発明の基地局は、通信端末が通信セル内に存在することを示す通知を受信する通知受信手段２０−１と、通知受信手段２０−１が通知を受信しない場合は、通信端末は通信圏外にあると判断し、通信圏外の通信端末へ他の通信端末から着信があった旨の履歴を記憶する履歴手段２１−１と、通知受信手段２０−１が通知を受信した場合は、通信端末は通信圏内にあると判断し、通信圏内の通信端末へ履歴手段２１−１で記憶した履歴を送信した後に、履歴を消去する消去手段２２−１とを備える。具体的には、まず、通知受信手段２０−１が、通信セル内に通信端末が存在していることを示す通知を受信する。通知を受信しない場合には、通信端末は通信圏外に位置していると判断する。この場合は、履歴手段２１−１が、通信圏外に位置している通信端末への、他の通信端末からの着信履歴を記憶する。そして、通知受信手段２０−１が、通知を受信した場合には、通信端末は通信圏内に位置していると判断する。通信圏外に位置していた通信端末が通信圏内へ入った場合にも、同様の判断が成される。この場合は、消去手段２２−１が、通信圏内に位置している通信端末へ、他の通信端末から着信があった旨の履歴を送信する。併せて、記憶していた着信履歴を消去して、再び通信端末が圏外に移動した場合に備える。
【００２５】
次に、図４を参照して、本発明に係る基地局の実施形態を説明する。図４は、本発明に係る基地局を説明するブロック図である。なお、図２において説明した要素については説明を省略する。図４において、本発明の基地局は、基地局制御手段３１−１、通知受信手段２０−２、履歴手段２１−２、消去手段２２−２、消耗受信手段２３−１、切断受信手段２４−１、及び理由受信手段２５−１を備える。基地局制御手段３１−１は、基地局に備えられた各手段を仲介し、それぞれの機能を管理する。消耗受信手段２３−１は、通信圏内の通信端末が電池の消耗によって電源切断となる場合は、通信圏内の通信端末の加入者番号、通信圏内の通信端末の電池の電圧値を測定した時刻及び通信圏内の通信端末の電池の消耗によって電源切断となることを通信圏内の通信端末から受信する。通信端末の電源スイッチがオフの状態であることを検知することができ、他の通信端末からの通信端末の無駄な発信の操作、及び無用なネットワークの負荷を削減することができる。なお、受信する情報には、全地球測位システムを利用して測位した位置情報が含まれていてもよい。切断受信手段２４−１は、通信圏内の通信端末が電源スイッチによって電源切断動作を開始するとき、通信圏内の通信端末の加入者番号、電源スイッチによって電源切断動作を開始した時刻及び電源スイッチによって電源切断となることを電源切断前に通信圏内の通信端末から受信する。通信端末の電源スイッチがオフの状態であることを検知することができ、他の通信端末からの通信端末の無駄な発信の操作、及び無用なネットワークの負荷を削減することができる。なお、受信する情報には、全地球測位システムを利用して測位した位置情報が含まれていてもよい。
【００２６】
理由受信手段２５−１は、不通の理由を送信する対象となる他の通信端末の情報を受信する。不通の理由を送信する対象となる他の通信端末を限定することで、個人情報の漏洩を防ぐことができる。ここで、消去手段２２−２は、通信圏内の通信端末へ履歴を送信した後に、理由受信手段２５−１で受信した情報以外の履歴を消去する。理由受信手段２５−１で受信した不通の理由を送信する対象となる他の通信端末の情報は、次に通信端末が不通になった際に利用する可能性が高い。そのため、着信履歴を消去する際に残すことで、不通が予測される度に不通の理由を送信する対象となる他の通信端末の情報を登録する手間を省くことができる。
【００２７】
次に、図５を参照して、本発明に係る通信端末の通知システムの基本構成を説明する。図５は、本発明に係る通信端末の通知システムの動作を説明するブロック図である。図５において、本発明の通信端末の通知システムは、存在通知手段１０−３、受信手段１１−３、履歴手段２１−３、通知受信手段２０−３、消去手段２２−３、通信端末制御手段３０−２及び基地局制御手段３１−２を備える。存在通知手段１０−３は、通知受信手段２０−３へ、通信セル内に通信端末が存在することを通知する。通信セル内に通信端末が存在する場合、消去手段２２−３は、受信手段１１−３へ、履歴手段２１−３において記憶された他の通信端末からの着信履歴を送信し、記憶されていた履歴を消去する。通信セル内に通信端末が存在しない場合、履歴手段２１−３は、他の通信端末からの着信履歴を記憶する。通信端末制御手段３０−２は、存在通知手段１０−３及び受信手段１１−３を管理し、基地局制御手段３１−２は、履歴手段２１−３、通知受信手段２０−３及び消去手段２２−３を管理する。
【００２８】
次に、図６を参照して、本発明に係る通信端末の通知システムの実施形態を説明する。図６は、本発明に係る通信端末の通知システムを説明するブロック図である。図６において、本発明の通信端末の通知システムは、存在通知手段１０−４、受信手段１１−４、履歴手段２１−４、通知受信手段２０−４、消去手段２２−４、時間間隔入力手段１２−２、前時間入力手段１３−２、電圧測定手段１４−２、測位手段１５−２、消耗送信手段１６−２、切断送信手段１７−２、理由送信手段１８−２、消耗受信手段２３−２、切断受信手段２４−２、理由受信手段２５−２、通信端末制御手段３０−３及び基地局制御手段３１−３を備える。
【００２９】
消耗送信手段１６−２は、電圧測定手段１４−２の測定する電源の電圧値が、電源の切断時刻の所定時間前に対応する電圧値未満となった場合は、通信端末の加入者番号、電圧値未満となった時刻及び電池の消耗によって電源切断となることを電源切断前に基地局の消耗受信手段２３−２へ送信する。切断送信手段１７−２は、通信端末の電源スイッチによって電源切断動作を開始するとき、通信端末の加入者番号、電源スイッチによって電源切断動作を開始した時刻及び電源スイッチによって電源切断となることを、電源切断前の切断受信手段２４−２へ送信する。また、送信する内容には、測位手段１５−２を利用して測位した通信端末の位置を追加してもよい。時間間隔入力手段１２−２は、電圧測定手段１４−２の電源の電圧値を測定する時間間隔を設定し、前時間入力手段１３−２は、通信端末の電源の切断時刻の所定時間前を設定する。また、理由受信手段２５−２は、不通の理由を送信する対象となる他の通信端末の情報を、予め基地局の理由送信手段１８−２へ送信する。そして、通信端末制御手段３０−３は、存在通知手段１０−４、受信手段１１−４、履歴手段２１−４、通知受信手段２０−４、消去手段２２−４、時間間隔入力手段１２−２、前時間入力手段１３−２、電圧測定手段１４−２及び測位手段１５−２を管理する。基地局制御手段３１−３は、消耗送信手段１６−２、切断送信手段１７−２、理由送信手段１８−２、消耗受信手段２３−２、切断受信手段２４−２及び理由受信手段２５−２を管理する。
【００３０】
次に、図７を参照して、本発明に係る通信端末の通知方法を説明する。図７は、本発明に係る通信端末の通知方法の動作を説明するフローチャートである。図７において、本発明の通信端末の通知方法は、通信端末が通信セル内に存在することを基地局へ通知する存在通知手順Ｐ１０−１と、他の通信端末から着信があった旨の履歴を受け取る受信手順Ｐ１１−１とを順に有する。具体的には、まず、存在通知手順Ｐ１０−１において、通信端末が通信セル内に存在することを基地局へ通知する。基地局と通信端末との間では、常時、通信セル内に存在する、すなわち通信圏内に通信端末が存在するか否かを検知している。通信圏内に通信端末が存在する場合、基地局を通して他の通信端末から着信する。次に、受信手順Ｐ１１−１において、通信端末が通信セル内に存在していない、すなわち通信圏外であった間に着信した他の通信端末からの着信履歴を基地局から受け取る。着信履歴の内容は、例えば、他の通信端末の加入者番号、着信日付、又は着信時刻である。
【００３１】
まず、図８を参照して、本発明に係る通信端末の通知方法の実施形態を説明する。図８は、本発明に係る通信端末の通知方法の動作を説明するフローチャートである。なお、図７において説明した手順については、説明を省略する。図８において、本発明の通信端末の通知方法は、時間間隔入力手順Ｐ１２−１又は前時間入力手順Ｐ１３−１のいずれかが実行される通信端末入力ブロックＡ３１−１、電圧測定手順Ｐ１４−１、消耗送信手順Ｐ１６−１、切断送信手順Ｐ１７−１、測位手順Ｐ１５−１又は理由送信手順Ｐ１８−１のいずれかが実行される通信端末送信ブロックＡ３０−１、存在通知手順Ｐ１０−２及び受信手順Ｐ１１−２を順に有する。
【００３２】
まず、時間間隔入力手順Ｐ１２−１において、電圧測定手順Ｐ１４−１における電源の電圧値を測定する時間間隔を設定する。通信端末の利用環境に応じて、電池の消耗を詳細に検知することができ、電池の消耗による電源オフの可能性を、余裕を持って他の通信端末へ通知することができる。さらに、前時間入力手順Ｐ１３−１において、電源の切断時刻の所定時間前を設定する。電池の消耗による電源オフの可能性を、余裕を持って他の通信端末へ通知することができる。なお、通信端末入力ブロックＡ３１−１内の時間間隔入力手順Ｐ１２−１又は前時間入力手順Ｐ１３−１は、通信端末送信ブロックＡ３０−１の前であれば、実行の順序を問わない。次に、電圧測定手順Ｐ１４−１において、通信端末の電源の電圧値を一定の時間間隔で測定する。そして、消耗送信手順Ｐ１６−１において、電圧測定手順Ｐ１４−１において測定する電源の電圧値が、電源の切断時刻の所定時間前に対応する電圧値未満となった場合は、通信端末の加入者番号、電圧値未満となった時刻及び電池の消耗によって電源切断となることを電源切断前に基地局に送信する。通信端末が電池の消耗のために、電源オフの状態であることを検知することができ、他の通信端末からの通信端末の無駄な発信の操作、及び無用なネットワークの負荷を削減することができる。同様に、切断送信手順Ｐ１７−１において、通信端末の電源スイッチによって電源切断動作を開始するとき、通信端末の加入者番号、電源スイッチによって電源切断動作を開始した時刻及び電源スイッチによって電源切断となることを、電源切断前に基地局に送信する。通信端末の電源スイッチがオフの状態であることを検知することができ、他の通信端末からの通信端末の無駄な発信の操作、及び無用なネットワークの負荷を削減することができる。
【００３３】
そして、測位手順Ｐ１５−１において、全地球測位システムを利用して通信端末の位置を具体的に測位することができる。そして、電圧測定手順Ｐ１４−１において測定する電源の電圧値が、電源の切断時刻の所定時間前に対応する電圧値未満となった場合に、電圧値未満となった時刻における測位手順Ｐ１５−１において測位した位置を電源切断前に基地局に送信することで、通信端末が通信不可となった具体的な位置を知ることができ、通信端末が現在置かれている状況を予測することができる。さらに、理由送信手順Ｐ１８−１において、不通の理由を送信する対象となる他の通信端末の情報を、予め基地局へ送信する。不通の理由を送信する対象となる他の通信端末を限定することで、個人情報の漏洩を防ぐことができる。なお、通信端末送信ブロックＡ３０−１内の電圧測定手順Ｐ１４−１、測位手順Ｐ１５−１、消耗送信手順Ｐ１６−１、切断送信手順Ｐ１７−１又は理由送信手順Ｐ１８−１は、存在通知手順Ｐ１０−２の前であれば、実行の順序を問わない。
【００３４】
次に、図９を参照して、本発明に係る基地局の通知方法を説明する。図９は、本発明に係る基地局の通知方法の動作を説明するフローチャートである。図９において、本発明の基地局の通知方法は、通信端末が通信セル内に存在することを示す通知を受信する通知受信手順Ｐ２０−１と、通知受信手順Ｐ２０−１で通知を受信しない場合は、通信端末は通信圏外にあると判断し、通信圏外の通信端末へ他の通信端末から着信があった旨の履歴を記憶する履歴手順Ｐ２１−１と、通知受信手順Ｐ２０−１で通知を受信した場合は、通信端末は通信圏内にあると判断し、通信圏内の通信端末へ履歴手順Ｐ２１−１で記憶した履歴を送信した後に、履歴を消去する消去手順Ｐ２２−１とを順に有する。具体的には、まず、通知受信手順Ｐ２０−１において、通信セル内に通信端末が存在していることを示す通知を受信する。通知を受信しない場合には、通信端末は通信圏外に位置していると判断する。この場合は、履歴手順Ｐ２１−１において、通信圏外に位置している通信端末への、他の通信端末からの着信履歴を記憶する。そして、通知受信手順Ｐ２０−１において、通知を受信した場合には、通信端末は通信圏内に位置していると判断する。通信圏外に位置していた通信端末が通信圏内へ入った場合にも、同様の判断が成される。この場合は、消去手順Ｐ２２−１において、通信圏内に位置している通信端末へ、他の通信端末から着信があった旨の履歴を送信する。併せて、記憶していた着信履歴を消去して、再び通信端末が圏外に移動した場合に備える。
【００３５】
次に、図１０を参照して、本発明に係る基地局の通知方法の実施形態を説明する。図１０は、本発明に係る基地局の通知方法の動作を説明するフローチャートである。なお、図９において説明した手順については、説明を省略する。図１０において、本発明の基地局の通知方法は、消耗受信手順Ｐ２３−１、切断受信手順Ｐ２４−１又は理由受信手順Ｐ２５−１のいずれかが実行される基地局受信ブロックＡ３２−１、通知受信手順Ｐ２０−２、履歴手順Ｐ２１−２、消去手順Ｐ２２−２を順に有する。消耗受信手順Ｐ２３−１において、通信圏内の通信端末が電池の消耗によって電源切断となる場合は、通信圏内の通信端末の加入者番号、通信圏内の通信端末の電池の電圧値を測定した時刻及び通信圏内の通信端末の電池の消耗によって電源切断となることを通信圏内の通信端末から受信する。通信端末の電源スイッチがオフの状態であることを検知することができ、他の通信端末からの通信端末の無駄な発信の操作、及び無用なネットワークの負荷を削減することができる。なお、受信する情報には、全地球測位システムを利用して測位した位置情報が含まれていてもよい。
【００３６】
切断受信手順Ｐ２４−１において、通信圏内の通信端末が電源スイッチによって電源切断動作を開始するとき、通信圏内の通信端末の加入者番号、電源スイッチによって電源切断動作を開始した時刻及び電源スイッチによって電源切断となることを電源切断前に通信圏内の通信端末から受信する。通信端末の電源スイッチがオフの状態であることを検知することができ、他の通信端末からの通信端末の無駄な発信の操作、及び無用なネットワークの負荷を削減することができる。なお、受信する情報には、全地球測位システムを利用して測位した位置情報が含まれていてもよい。
【００３７】
理由受信手順Ｐ２５−１においては、不通の理由を送信する対象となる他の通信端末の情報を受信する。不通の理由を送信する対象となる他の通信端末を限定することで、個人情報の漏洩を防ぐことができる。ここで、消去手順Ｐ２２−２において、通信圏内の通信端末へ履歴を送信した後に、理由受信手順Ｐ２５−１において受信した情報以外の履歴を消去する。理由受信手順Ｐ２５−１において受信した不通の理由を送信する対象となる他の通信端末の情報は、次に通信端末が不通になった際に利用する可能性が高い。そのため、着信履歴を消去する際に残すことで、不通が予測される度に不通の理由を送信する対象となる他の通信端末の情報を登録する手間を省くことができる。なお、基地局受信ブロックＡ３２−１内の消耗受信手順Ｐ２３−１、切断受信手順Ｐ２４−１又は理由受信手順Ｐ２５−１は、通知受信手順Ｐ２０−２の前であれば、実行の順序を問わない。
【００３８】
次に、図１１を参照して、本発明に係る通信端末の通知システムの通知方法を説明する。図１１は、本発明に係る通信端末の通知システムの動作を説明するフローチャートである。図１１において、本発明の通信端末の通知システムの通知方法は、通信端末で、通信セル内に存在することを基地局へ通知する存在通知手順Ｐ１０−３と、基地局で、通信端末が通信セル内に存在することを示す通知を受信する通知受信手順Ｐ２０−３と、基地局で、通知受信手順Ｐ２０−３で通知を受信しない場合は、通信端末は通信圏外にあると判断し、通信圏外の通信端末へ他の通信端末から着信があった旨の履歴を記憶する履歴手順Ｐ２１−３と、基地局で、通知受信手順Ｐ２０−３で通知を受信した場合は、通信端末は通信圏内にあると判断し、通信圏内の通信端末へ履歴手順Ｐ２１−３で記憶した履歴を送信した後に、履歴を消去する消去手順Ｐ２２−３と、通信端末で、他の通信端末から着信があった旨の履歴を受け取る受信手順Ｐ１１−３とを順に有する。存在通知手順Ｐ１０−３において、通知受信手順Ｐ２０−３へ、通信セル内に通信端末が存在することを通知する。通信セル内に通信端末が存在する場合、消去手順Ｐ２２−３において、受信手順Ｐ１１−３へ、履歴手順Ｐ２１−３において記憶された他の通信端末からの着信履歴を送信し、記憶されていた履歴を消去する。通信セル内に通信端末が存在しない場合、履歴手順Ｐ２１−３において、他の通信端末からの着信履歴を記憶する。
【００３９】
次に、図１２を参照して、本発明に係る通信端末の通知システムの通知方法の実施形態を説明する。図１２は、本発明に係る通信端末の通知システムの通知方法の動作を説明するフローチャートである。図１２において、本発明の通信端末の通知システムの通知方法は、時間間隔入力手順Ｐ１２−２又は前時間入力手順Ｐ１３−２のいずれかが実行される通信端末入力ブロックＡ３１−２、電圧測定手順Ｐ１４−２、測位手順Ｐ１５−２、消耗送信手順Ｐ１６−２、切断送信手順Ｐ１７−２又は理由送信手順Ｐ１８−２のいずれかが実行される通信端末送信ブロックＡ３０−２、消耗受信手順Ｐ２３−２、切断受信手順Ｐ２４−２又は理由受信手順Ｐ２５−２のいずれかが実行される基地局受信ブロックＡ３２−２、存在通知手順Ｐ１０−４、受信手順Ｐ１１−４、履歴手順Ｐ２１−４、通知受信手順Ｐ２０−４及び消去手順Ｐ２２−４を順に実行する。
【００４０】
まず、時間間隔入力手順Ｐ１２−２において、電圧測定手順Ｐ１４−２における電源の電圧値を測定する時間間隔を設定し、前時間入力手順Ｐ１３−２において、通信端末の電源の切断時刻の所定時間前を設定する。なお、通信端末入力ブロックＡ３１−２内の、時間間隔入力手順Ｐ１２−２又は前時間入力手順Ｐ１３−２は、通信端末送信ブロックＡ３０−２の前であれば、実行する順序は問わない。次に、消耗送信手順Ｐ１６−２において、電圧測定手順Ｐ１４−２において測定する電源の電圧値が、電源の切断時刻の所定時間前に対応する電圧値未満となった場合は、通信端末の加入者番号、電圧値未満となった時刻及び電池の消耗によって電源切断となることを電源切断前に基地局の消耗受信手順Ｐ２３−２へ送信する。切断送信手順Ｐ１７−２において、通信端末の電源スイッチによって電源切断動作を開始するとき、通信端末の加入者番号、電源スイッチによって電源切断動作を開始した時刻及び電源スイッチによって電源切断となることを、電源切断前の切断受信手順Ｐ２４−２へ送信する。また、送信する内容には、測位手順Ｐ１５−２において測位した通信端末の位置を追加してもよい。
【００４１】
また、理由受信手順Ｐ２５−２において、不通の理由を送信する対象となる他の通信端末の情報を、予め基地局の理由送信手順Ｐ１８−２へ送信する。なお、通信端末送信ブロックＡ３０−２内の、電圧測定手順Ｐ１４−２、測位手順Ｐ１５−２、消耗送信手順Ｐ１６−２、切断送信手順Ｐ１７−２又は理由送信手順Ｐ１８−２は、存在通知手順Ｐ１０−４の前であれば、実行する順序を問わない。また、基地局受信ブロックＡ３２−２内の、消耗受信手順Ｐ２３−２、切断受信手順Ｐ２４−２又は理由受信手順Ｐ２５−２は、通知受信手順Ｐ２０−４の前であれば、実行する順序を問わない。
【００４２】
次に、図１３を参照して、本発明に係る通信端末の通知プログラムを説明する。図１３は、本発明に係る通信端末の通知プログラムの動作を説明するフローチャートである。図１３において、本発明の通信端末の通知プログラムは、コンピュータに、通信端末が通信セル内に存在することを基地局へ通知する存在通知ステップＳ１０−１と、他の通信端末から着信があった旨の履歴を受け取る受信ステップＳ１１−１とを順に実行させる。具体的には、まず、存在通知ステップＳ１０−１において、通信端末が通信セル内に存在することを基地局へ通知する。基地局と通信端末との間では、常時、通信セル内に存在する、すなわち通信圏内に通信端末が存在するか否かを検知している。通信圏内に通信端末が存在する場合、基地局を通して他の通信端末から着信する。次に、受信ステップＳ１１−１において、通信端末が通信セル内に存在していない、すなわち通信圏外であった間に着信した他の通信端末からの着信履歴を基地局から受け取る。着信履歴の内容は、例えば、他の通信端末の加入者番号、着信日付、又は着信時刻である。
【００４３】
まず、図１４を参照して、本発明に係る通信端末の通知プログラムの実施形態を説明する。図１４は、本発明に係る通信端末の通知プログラムの動作を説明するフローチャートである。なお、図１３において説明したステップについては、説明を省略する。図１４において、本発明の通信端末の通知プログラムは、コンピュータに、時間間隔入力ステップＳ１２−１又は前時間入力ステップＳ１３−１のいずれかが実行される通信端末入力ブロックＢ３１−１、電圧測定ステップＳ１４−１、消耗送信ステップＳ１６−１、切断送信ステップＳ１７−１、測位ステップＳ１５−１又は理由送信ステップＳ１８−１のいずれかが実行される通信端末送信ブロックＢ３０−１、存在通知ステップＳ１０−２、受信ステップＳ１１−２を順に実行させる。
【００４４】
まず、時間間隔入力ステップＳ１２−１において、電圧測定ステップＳ１４−１における電源の電圧値を測定する時間間隔を設定する。通信端末の利用環境に応じて、電池の消耗を詳細に検知することができ、電池の消耗による電源オフの可能性を、余裕を持って他の通信端末へ通知することができる。さらに、前時間入力ステップＳ１３−１において、電源の切断時刻の所定時間前を設定する。電池の消耗による電源オフの可能性を、余裕を持って他の通信端末へ通知することができる。なお、通信端末入力ブロックＢ３１−１内の時間間隔入力ステップＳ１２−１又は前時間入力ステップＳ１３−１は、通信端末送信ブロックＢ３０−１の前であれば、実行の順序を問わない。次に、電圧測定ステップＳ１４−１において、通信端末の電源の電圧値を一定の時間間隔で測定する。そして、消耗送信ステップＳ１６−１において、電圧測定ステップＳ１４−１において測定する電源の電圧値が、電源の切断時刻の所定時間前に対応する電圧値未満となった場合は、通信端末の加入者番号、電圧値未満となった時刻及び電池の消耗によって電源切断となることを電源切断前に基地局に送信する。通信端末が電池の消耗のために、電源オフの状態であることを検知することができ、他の通信端末からの通信端末の無駄な発信の操作、及び無用なネットワークの負荷を削減することができる。同様に、切断送信ステップＳ１７−１において、通信端末の電源スイッチによって電源切断動作を開始するとき、通信端末の加入者番号、電源スイッチによって電源切断動作を開始した時刻及び電源スイッチによって電源切断となることを、電源切断前に基地局に送信する。通信端末の電源スイッチがオフの状態であることを検知することができ、他の通信端末からの通信端末の無駄な発信の操作、及び無用なネットワークの負荷を削減することができる。
【００４５】
そして、測位ステップＳ１５−１において、全地球測位システムを利用して通信端末の位置を具体的に測位することができる。そして、電圧測定ステップＳ１４−１において測定する電源の電圧値が、電源の切断時刻の所定時間前に対応する電圧値未満となった場合に、電圧値未満となった時刻における測位ステップＳ１５−１において測位した位置を電源切断前に基地局に送信することで、通信端末が通信不可となった具体的な位置を知ることができ、通信端末が現在置かれている状況を予測することができる。さらに、理由送信ステップＳ１８−１において、不通の理由を送信する対象となる他の通信端末の情報を、予め基地局へ送信する。不通の理由を送信する対象となる他の通信端末を限定することで、個人情報の漏洩を防ぐことができる。なお、通信端末送信ブロックＢ３０−１内の電圧測定ステップＳ１４−１、測位ステップＳ１５−１、消耗送信ステップＳ１６−１、切断送信ステップＳ１７−１又は理由送信ステップＳ１８−１は、存在通知ステップＳ１０−２の前であれば、実行の順序を問わない。
【００４６】
次に、図１５を参照して、本発明に係る基地局の通知プログラムを説明する。図１５は、本発明に係る基地局の通知プログラムの動作を説明するフローチャートである。図１５において、本発明の基地局の通知プログラムは、コンピュータに、通信端末が通信セル内に存在することを示す通知を受信する通知受信ステップＳ２０−１と、通知受信ステップＳ２０−１で通知を受信しない場合は、通信端末は通信圏外にあると判断し、通信圏外の通信端末へ他の通信端末から着信があった旨の履歴を記憶する履歴ステップＳ２１−１と、通知受信ステップＳ２０−１で通知を受信した場合は、通信端末は通信圏内にあると判断し、通信圏内の通信端末へ履歴ステップＳ２１−１で記憶した履歴を送信した後に、履歴を消去する消去ステップＳ２２−１とを順に実行させる。具体的には、まず、通知受信ステップＳ２０−１において、通信セル内に通信端末が存在していることを示す通知を受信する。通知を受信しない場合には、通信端末は通信圏外に位置していると判断する。この場合は、履歴ステップＳ２１−１において、通信圏外に位置している通信端末への、他の通信端末からの着信履歴を記憶する。そして、通知受信ステップＳ２０−１において、通知を受信した場合には、通信端末は通信圏内に位置していると判断する。通信圏外に位置していた通信端末が通信圏内へ入った場合にも、同様の判断が成される。この場合は、消去ステップＳ２２−１において、通信圏内に位置している通信端末へ、他の通信端末から着信があった旨の履歴を送信する。併せて、記憶していた着信履歴を消去して、再び通信端末が圏外に移動した場合に備える。
【００４７】
次に、図１６を参照して、本発明に係る基地局の通知プログラムの実施形態を説明する。図１６は、本発明に係る基地局の通知プログラムの動作を説明するフローチャートである。なお、図１５において説明したステップについては、説明を省略する。図１６において、本発明の基地局の通知プログラムは、コンピュータに、消耗受信ステップＳ２３−１、切断受信ステップＳ２４−１又は理由受信ステップＳ２５−１のいずれかが実行される基地局受信ブロックＢ３２−１、通知受信ステップＳ２０−２、履歴ステップＳ２１−２、消去ステップＳ２２−２を順に実行させる。消耗受信ステップＳ２３−１において、通信圏内の通信端末が電池の消耗によって電源切断となる場合は、通信圏内の通信端末の加入者番号、通信圏内の通信端末の電池の電圧値を測定した時刻及び通信圏内の通信端末の電池の消耗によって電源切断となることを通信圏内の通信端末から受信する。通信端末の電源スイッチがオフの状態であることを検知することができ、他の通信端末からの通信端末の無駄な発信の操作、及び無用なネットワークの負荷を削減することができる。なお、受信する情報には、全地球測位システムを利用して測位した位置情報が含まれていてもよい。
【００４８】
切断受信ステップＳ２４−１において、通信圏内の通信端末が電源スイッチによって電源切断動作を開始するとき、通信圏内の通信端末の加入者番号、電源スイッチによって電源切断動作を開始した時刻及び電源スイッチによって電源切断となることを電源切断前に通信圏内の通信端末から受信する。通信端末の電源スイッチがオフの状態であることを検知することができ、他の通信端末からの通信端末の無駄な発信の操作、及び無用なネットワークの負荷を削減することができる。なお、受信する情報には、全地球測位システムを利用して測位した位置情報が含まれていてもよい。
【００４９】
理由受信ステップＳ２５−１においては、不通の理由を送信する対象となる他の通信端末の情報を受信する。不通の理由を送信する対象となる他の通信端末を限定することで、個人情報の漏洩を防ぐことができる。ここで、消去ステップＳ２２−２において、通信圏内の通信端末へ履歴を送信した後に、理由受信ステップＳ２５−１において受信した情報以外の履歴を消去する。理由受信ステップＳ２５−１において受信した不通の理由を送信する対象となる他の通信端末の情報は、次に通信端末が不通になった際に利用する可能性が高い。そのため、着信履歴を消去する際に残すことで、不通が予測される度に不通の理由を送信する対象となる他の通信端末の情報を登録する手間を省くことができる。なお、基地局受信ブロックＢ３２−１内の消耗受信ステップＳ２３−１、切断受信ステップＳ２４−１又は理由受信ステップＳ２５−１は、通知受信ステップＳ２０−２の前であれば、実行の順序を問わない。
【００５０】
次に、図１７を参照して、本発明に係る通信端末の通知システムの通知プログラムを説明する。図１７は、本発明に係る通信端末の通知システムの動作を説明するフローチャートである。図１７において、本発明の通信端末の通知システムの通知プログラムは、コンピュータに、通信端末で、通信セル内に存在することを基地局へ通知する存在通知ステップＳ１０−３と、基地局で、通信端末が通信セル内に存在することを示す通知を受信する通知受信ステップＳ２０−３と、基地局で、通知受信ステップＳ２０−３で通知を受信しない場合は、通信端末は通信圏外にあると判断し、通信圏外の通信端末へ他の通信端末から着信があった旨の履歴を記憶する履歴ステップＳ２１−３と、基地局で、通知受信ステップＳ２０−３で通知を受信した場合は、通信端末は通信圏内にあると判断し、通信圏内の通信端末へ履歴ステップＳ２１−３で記憶した履歴を送信した後に、履歴を消去する消去ステップＳ２２−３と、通信端末で、他の通信端末から着信があった旨の履歴を受け取る受信ステップＳ１１−３とを順に実行させる。存在通知ステップＳ１０−３において、通知受信ステップＳ２０−３へ、通信セル内に通信端末が存在することを通知する。通信セル内に通信端末が存在する場合、消去ステップＳ２２−３において、受信ステップＳ１１−３へ、履歴ステップＳ２１−３において記憶された他の通信端末からの着信履歴を送信し、記憶されていた履歴を消去する。通信セル内に通信端末が存在しない場合、履歴ステップＳ２１−３において、他の通信端末からの着信履歴を記憶する。
【００５１】
次に、図１８を参照して、本発明に係る通信端末の通知システムの通知プログラムの実施形態を説明する。図１８は、本発明に係る通信端末の通知システムの通知プログラムの動作を説明するフローチャートである。図１８において、本発明の通信端末の通知システムの通知プログラムは、コンピュータに、時間間隔入力ステップＳ１２−２又は前時間入力ステップＳ１３−２のいずれかが実行される通信端末入力ブロックＢ３１−２、電圧測定ステップＳ１４−２、測位ステップＳ１５−２、消耗送信ステップＳ１６−２、切断送信ステップＳ１７−２又は理由送信ステップＳ１８−２のいずれかが実行される通信端末送信ブロックＢ３０−２、消耗受信ステップＳ２３−２、切断受信ステップＳ２４−２又は理由受信ステップＳ２５−２のいずれかが実行される基地局受信ブロックＢ３２−２、存在通知ステップＳ１０−４、受信ステップＳ１１−４、履歴ステップＳ２１−４、通知受信ステップＳ２０−４及び消去ステップＳ２２−４を順に実行させる。
【００５２】
まず、時間間隔入力ステップＳ１２−２において、電圧測定ステップＳ１４−２における電源の電圧値を測定する時間間隔を設定し、前時間入力ステップＳ１３−２において、通信端末の電源の切断時刻の所定時間前を設定する。なお、通信端末入力ブロックＢ３１−２内の、時間間隔入力ステップＳ１２−２又は前時間入力ステップＳ１３−２は、通信端末送信ブロックＢ３０−２の前であれば、実行する順序は問わない。次に、消耗送信ステップＳ１６−２において、電圧測定ステップＳ１４−２において測定する電源の電圧値が、電源の切断時刻の所定時間前に対応する電圧値未満となった場合は、通信端末の加入者番号、電圧値未満となった時刻及び電池の消耗によって電源切断となることを電源切断前に基地局の消耗受信ステップＳ２３−２へ送信する。切断送信ステップＳ１７−２において、通信端末の電源スイッチによって電源切断動作を開始するとき、通信端末の加入者番号、電源スイッチによって電源切断動作を開始した時刻及び電源スイッチによって電源切断となることを、電源切断前の切断受信ステップＳ２４−２へ送信する。また、送信する内容には、測位ステップＳ１５−２において測位した通信端末の位置を追加してもよい。
【００５３】
また、理由受信ステップＳ２５−２において、不通の理由を送信する対象となる他の通信端末の情報を、予め基地局の理由送信ステップＳ１８−２へ送信する。なお、通信端末送信ブロックＢ３０−２内の、電圧測定ステップＳ１４−２、測位ステップＳ１５−２、消耗送信ステップＳ１６−２、切断送信ステップＳ１７−２又は理由送信ステップＳ１８−２は、存在通知ステップＳ１０−４の前であれば、実行する順序を問わない。また、基地局受信ブロックＢ３２−２内の、消耗受信ステップＳ２３−２、切断受信ステップＳ２４−２又は理由受信ステップＳ２５−２は、通知受信ステップＳ２０−４の前であれば、実行する順序を問わない。
【符号の説明】
【００５４】
１０−１，１０−２，１０−３，１０−４：存在通知手段
１１−１，１１−２，１１−３，１１−４：受信手段
１２−１，１２−２：時間間隔入力手段
１３−１，１３−２：前時間入力手段
１４−１，１４−２：電圧測定手段
１５−１，１５−２：測位手段
１６−１，１６−２：消耗送信手段
１７−１，１７−２：切断送信手段
１８−１，１８−２：理由送信手段
２０−１，２０−２，２０−３，２０−４：通知受信手段
２１−１，２１−２，２１−３，２１−４：履歴手段
２２−１，２２−２，２２−３，２２−４：消去手段
２３−１，２３−２：消耗受信手段
２４−１，２４−２：切断受信手段
２５−１，２５−２：理由受信手段
３０−１，３０−２，３０−３：通信端末制御手段
３１−１，３１−２，３１−３：基地局制御手段
Ｐ１０−１，Ｐ１０−２，Ｐ１０−３，Ｐ１０−４：存在通知手順
Ｐ１１−１，Ｐ１１−２，Ｐ１１−３，Ｐ１１−４：受信手順
Ｐ１２−１，Ｐ１２−２：時間間隔入力手順
Ｐ１３−１，Ｐ１３−２：前時間入力手順
Ｐ１４−１，Ｐ１４−２：電圧測定手順
Ｐ１５−１，Ｐ１５−２：測位手順
Ｐ１６−１，Ｐ１６−２：消耗送信手順
Ｐ１７−１，Ｐ１７−２：切断送信手順
Ｐ１８−１，Ｐ１８−２：理由送信手順
Ｐ２０−１，Ｐ２０−２，Ｐ２０−３，Ｐ２０−４：通知受信手順
Ｐ２１−１，Ｐ２１−２，Ｐ２１−３，Ｐ２１−４：履歴手順
Ｐ２２−１，Ｐ２２−２，Ｐ２２−３，Ｐ２２−４：消去手順
Ｐ２３−１，Ｐ２３−２：消耗受信手順
Ｐ２４−１，Ｐ２４−２：切断受信手順
Ｐ２５−１，Ｐ２５−２：理由受信手順
Ａ３０−１，Ａ３０−２：通信端末送信ブロック
Ａ３１−１，Ａ３１−２：通信端末入力ブロック
Ａ３２−１，Ａ３２−２：基地局受信ブロック
Ｓ１０−１，Ｓ１０−２，Ｓ１０−３，Ｓ１０−４：存在通知ステップ
Ｓ１１−１，Ｓ１１−２，Ｓ１１−３，Ｓ１１−４：受信ステップ
Ｓ１２−１，Ｓ１２−２：時間間隔入力ステップ
Ｓ１３−１，Ｓ１３−２：前時間入力ステップ
Ｓ１４−１，Ｓ１４−２：電圧測定ステップ
Ｓ１５−１，Ｓ１５−２：測位ステップ
Ｓ１６−１，Ｓ１６−２：消耗送信ステップ
Ｓ１７−１，Ｓ１７−２：切断送信ステップ
Ｓ１８−１，Ｓ１８−２：理由送信ステップ
Ｓ２０−１，Ｓ２０−２，Ｓ２０−３，Ｓ２０−４：通知受信ステップ
Ｓ２１−１，Ｓ２１−２，Ｓ２１−３，Ｓ２１−４：履歴ステップ
Ｓ２２−１，Ｓ２２−２，Ｓ２２−３，Ｓ２２−４：消去ステップ
Ｓ２３−１，Ｓ２３−２：消耗受信ステップ
Ｓ２４−１，Ｓ２４−２：切断受信ステップ
Ｓ２５−１，Ｓ２５−２：理由受信ステップ
Ｂ３０−１，Ｂ３０−２：通信端末送信ブロック
Ｂ３１−１，Ｂ３１−２：通信端末入力ブロック
Ｂ３２−１，Ｂ３２−２：基地局受信ブロック
【図１】
2011082754.tif 000003
【図２】
2011082754.tif 000004
【図３】
2011082754.tif 000005
【図４】
2011082754.tif 000006
【図５】
2011082754.tif 000007
【図６】
2011082754.tif 000008
【図７】
2011082754.tif 000009
【図８】
2011082754.tif 000010
【図９】
2011082754.tif 000011
【図１０】
2011082754.tif 000012
【図１１】
2011082754.tif 000013
【図１２】
2011082754.tif 000014
【図１３】
2011082754.tif 000015
【図１４】
2011082754.tif 000016
【図１５】
2011082754.tif 000017
【図１６】
2011082754.tif 000018
【図１７】
2011082754.tif 000019
【図１８】
2011082754.tif 000020